(57)【要約】      （修正有）【課題】内容物入りの新たなパウチと付け替えて保持具を継続して使うことによって、従来行われてきたパウチから容器への詰め替え作業を省くことの出来るパウチ付け替え容器の提供。【解決手段】少なくとも表裏２組の積層フィルムの外周縁をシールしてなるパウチＣ２を保持する支持体Ｃ１からなる付け替え容器であって、前記支持体Ｃ１が楕円柱状または直方体形状であり、幅が狭い側面の対向した内側の側面の２箇所にスリット９が縦に入り、前記パウチＣ２のサイドシール部をスリット９にはめ込んで支持した状態でパウチＣ２上部をカットし、開口状態のパウチＣ２そのものを容器として使用することを特徴とするパウチ付け替え容器。【選択図】図５
2009249011.tif 000002
【特許請求の範囲】
【請求項１】
少なくとも表裏２組の積層フィルムの外周縁をシールしてなるパウチを保持する支持体からなる付け替え容器であって、前記支持体が楕円柱状または直方体形状であり、幅が狭い側面の対向した内側の側面の２箇所にスリットが縦に入り、前記パウチのサイドシール部をスリットにはめ込んで支持した状態でパウチ上部をカットし、開口状態のパウチそのものを容器として使用することを特徴とするパウチ付け替え容器。
【請求項２】
前記支持体が楕円柱状または直方体形状であり、底面が開いていることを特徴とする請求項１に記載のパウチ付け替え容器。
【請求項３】
前記支持体に受け台を嵌合させて支持体を支えることを特徴とする請求項２に記載のパウチ付け替え容器。
【請求項４】
前記支持体に蓋を嵌合させることを特徴とする請求項１から３のいずれか１項に記載のパウチ付け替え容器。
【請求項５】
前記蓋または支持体の天面に空隙が設けられていることを特徴とする請求項１から４のいずれか１項に記載のパウチ付け替え容器。
【請求項６】
前記支持体の対向するスリットが形成された方向の径が、パウチのサイドシール部の幅の１／４以上が外側にはみ出すような長さであることを特徴とする請求項１から５のいずれか１項に記載のパウチ付け替え容器。
【発明の詳細な説明】
【技術分野】
【０００１】
本発明は、ゲル状または固形状または液体状の内容物の容器に関する。特に、表裏２組の積層フィルムの外周縁をシールしてなる容器であるパウチの使用に当たって、パウチから別の容器への内容物の詰め替え作業を省くことの出来るパウチ付け替え容器に関する。
【背景技術】
【０００２】
従来、主に詰め替え用の芳香消臭剤、レトルト食品や、或いは無菌包装食品、鮮度保持包装食品、医薬品等の内容物を密封包装した包装体（パウチ）が知られている。このようなパウチは、パウチの左右に形成されたノッチを開封起点として水平方向へと引き裂きつつ切除してパウチの初期開封を行なう構成である。また、パウチの中でも内容物を入れると底部が広がって倒れないようになるという意味で自立性のあるスタンディングパウチもよく知られている。
【０００３】
従来から家庭などで使用される芳香消臭剤などは樹脂製の容器に詰められて販売されているが、容器内の芳香消臭剤がなくなるとパウチの中に入った詰め替え用芳香消臭剤を購入し、この詰め替え用芳香消臭剤を空の容器内に詰め替えていた。
しかし、上記のように詰め替え用芳香消臭剤を空の容器内に詰め替えるとき、樹脂製の柔軟な袋を手に持って詰め替え作業を行なっており、袋が柔軟なことから袋の口部の位置が不安定であり、容器の口部と袋の口部を合わせて詰め替え作業を行なうのに手間がかかり、油断をすると容器の外に芳香消臭剤がこぼれるという問題があった。
【０００４】
このような問題に対して、液体の詰め替え作業を行なう必要がなく、詰め替え用液体を収納する袋をそのまま使用できるようにした液体取り出し装置が提案されている。（特許文献１）
特許文献１で提案されている装置は、洗剤などの液体が収納され１つのコーナー部近傍に開閉自在な液体取り出し部材を備えた袋と、この袋を内部にセット可能で上端壁部に前記袋の液体取り出し部材を外部に突出させた状態で嵌合させる切り込み部が形成された上端開口の容器本体と、この容器本体の上端開口部を開閉する蓋体とからなるものである。
【０００５】
上記構成により、容器の中に洗剤などの液体を収納する袋をセットすることにより、従来のような液体の詰め替え作業を行なう必要がなく、液体を収納する袋をそのまま使用でき、容器の外部に突出する液体取り出し部材から液体を取り出すことができることが示されている。
【０００６】
しかしながら、特許文献１に記載された上記の容器では、内容物が揮発させたくない液体であるため、使用時以外は容器を密閉して使うという前提がある。従って芳香剤のように内容物を揮発させて使用する場合や、消臭剤のように内容物が空気中の成分を吸収することで効果が発揮される場合のような、使用時に外気に露出した開口部分が必要な場合には応用することが出来ない。
【０００７】
また、例えば、現在市場にある芳香消臭剤の形態は、保持具へ容器を付け替えるタイプと、本体容器へパウチに入った内容物を詰め替えるタイプに大別されると考えられる．しかしながら、保持具へ付け替えるタイプの容器はパウチではなく成型容器であるため、嵩が増して廃棄物としての量が増える点で好ましくない。本体容器へパウチに入った内容物を詰め替えるタイプだと、上記のように詰め替える作業が手間になってしまうという問題点を抱えていた。
【特許文献１】特開平０６−０４８４６５号公報
【発明の開示】
【発明が解決しようとする課題】
【０００８】
芳香消臭剤等の内容物の入ったパウチを保持具にセットし、開封して内容物が外気に触れた状態で使用し、内容物の品質保持期限が来る前に、内容物入りの新たなパウチと付け替えて保持具を継続して使うことによって、従来行われてきたパウチから容器への詰め替え作業を省くパウチ付け替え容器の提供が課題である。
【課題を解決するための手段】
【０００９】
本発明の請求項１の発明は、少なくとも表裏２組の積層フィルムの外周縁をシールしてなるパウチを保持する支持体からなる付け替え容器であって、前記支持体が楕円柱状または直方体形状であり、幅が狭い側面の対向した内側の側面の２箇所にスリットが縦に入り、前記パウチのサイドシール部をスリットにはめ込んで支持した状態でパウチ上部をカットし、開口状態のパウチそのものを容器として使用することを特徴とするパウチ付け替え容器である。
【００１０】
本発明の請求項２の発明は、前記支持体が楕円柱状または直方体形状であり、底面が開いていることを特徴とする請求項１に記載のパウチ付け替え容器である。
【００１１】
本発明の請求項３の発明は、前記支持体に受け台を嵌合させて支持体を支えることを特徴とする請求項２に記載のパウチ付け替え容器である。
【００１２】
本発明の請求項４の発明は、前記支持体に蓋を嵌合させることを特徴とする請求項１から３のいずれか１項に記載のパウチ付け替え容器である。
【００１３】
本発明の請求項５の発明は、前記蓋または支持体の天面に空隙が設けられていることを特徴とする請求項１から４のいずれか１項に記載のパウチ付け替え容器である。
【００１４】
本発明の請求項６の発明は、前記支持体の対向するスリットが形成された方向の径が、パウチのサイドシール部の幅の１／４以上が外側にはみ出すような長さであることを特徴とする請求項１から５のいずれか１項に記載のパウチ付け替え容器である。
【発明の効果】
【００１５】
本発明は、少なくとも表裏２組の積層フィルムの外周縁をシールしてなるパウチを保持する支持体からなる付け替え容器であって、前記支持体が楕円柱状または直方体形状であり、幅が狭い側面の対向した内側の側面の２箇所にスリットが縦に入り、前記パウチのサイドシール部をスリットにはめ込んで支持した状態でパウチ上部をカットし、開口状態のパウチそのものを容器として使用することを特徴とするパウチ付け替え容器により、使用中はパウチを支持体で支えるため開封状態でも倒れることなく、内容物を揮散あるいは外気中の成分を吸収することができ、且つ内容物の品質保持期限が来る前に、新しいパウチからの詰め替えを行う作業を省くことができる。
【００１６】
パウチを保持する支持体からなる付け替え容器であって、前記支持体が楕円柱状または直方体形状であり、底面が開いていて、幅が狭い側面の対向した内側の側面の２箇所にスリットが縦に入り、前記パウチのサイドシール部をスリットにはめ込んで支持した状態でパウチ上部をカットし、開口状態のパウチそのものを容器として使用することを特徴とするパウチ付け替え容器により、使用中はパウチを支持体で支えるため開封状態でも倒れることなく、内容物を揮散あるいは外気中の成分を吸収することができ、且つ内容物の品質保持期限が来る前に、新しいパウチからの詰め替えを行う作業を省くことができる。
支持体に、パウチのサイドシール部がスライドして入る一対のスリットを設けたことで、
パウチが直立するのを保持する効果を上げるとともに、パウチの口が大きく開いた状態で保持し、効果的に内容物を揮散させることあるいは空気中の成分を吸収することが可能になる。
【００１７】
この場合、前記支持体の対向するスリットが形成された方向の径を、パウチのサイドシール部の幅の１／４以上が外側にはみ出すような長さにすることによってスリットに嵌め込んだパウチのサイドシール部分がスリットから外れにくくなりパウチが倒れにくくなるという効果を有する。
支持体によるパウチの直立保持が不安定な場合には、前記支持体に受け台を嵌合させて支持体を支えることにより安定性を確保することが出来る。
前記支持体に蓋を嵌合させることにより、使用中の異物の混入や振動時の内容物のこぼれ等を軽減することが出来る。
【００１８】
前記蓋あるいは支持体の天面に空隙が設けられていることにより、特に内容物と外気との接触を安定的に確保することが出来る。
支持体と蓋と受け台の材質は製造のしやすさと価格から、成型プラスチックが一般的であるが、外見や再利用のしやすさ等の理由で金属あるいはガラスを使用することも出来る。
【００１９】
本発明のパウチ詰め替え容器では、支持体にパウチのサイドシール部がスライドして入るスリットを設けたことで、不安定ながら自立性のあるスタンディングパウチの安定した直立を保持する効果とともに、単体では自立性のないパウチにおいても、パウチの口が大きく開いた状態で保持し、効果的に内容物を揮散させることあるいは空気中の成分を吸収することが可能になる。
【００２０】
本発明のパウチ詰め替え容器では、パウチを保持する支持体からなる付け替え容器であって、対向した内側の側面の２箇所にスリットが縦に入り、パウチ上部をパウチ幅方向と平行にカットして開封して口を開け、受け台に前記パウチを載せ、前記パウチのサイドシール部付近をスリットにはめ込んで支持した状態で支持体を上から被せて、パウチから内容物を移し替えずに、開口状態のパウチそのものを容器として使用することにより、使用中はパウチを支持体で支えるため開封状態でも倒れることなく、内容物を飛散あるいは成分吸収することができるだけでなく、新しいパウチからの詰め替えを行う作業を省くことができる。
【発明を実施するための最良の形態】
【００２１】
本発明の実施形態のいくつかの例について図を参照しながら説明する。
先ず、請求項１に関わる支持体の天面が開いているタイプのパウチ付け替え容器について図１、図２、図３、図４、図５を参照して説明する。このタイプのパウチ付け替え容器をパウチ付け替え容器Ｃとして、対応する支持体をＣ１、パウチをＣ２、蓋をＣ３とする。図１は本発明のパウチ付け替え容器Ｃに用いるパウチＣ２の開封前側面図である。図２は同じく蓋Ｃ３の外観模式図である。図３は同じく開封した状態のパウチＣ２の外観模式図である。図４は同じく支持体Ｃ１の外観模式図である。図５は同じくパウチ付け替え容器Ｃの使用中の外観模式図である。
【００２２】
本発明に用いるパウチは図１に例示したようなスタンディングパウチが代表的であり、ボトムシール（図示せず）と幅βのサイドシール２をシール後、内容物を収納してから天シール１で封止した状態を示している。サイドシール部分には天シールに近い部分に開封のための切欠き（ノッチ）３が設けられている。
本発明においては、パウチのサイドシール部分を用いて開封後の保持を行うので、パウチの形状は、スタンディングパウチに限られず、サイドシール部が支持体のスリットに挟み込まれる形状であれば良く、パウチの四方を平面的にシールした、自立性のないパウチや
サイド部分に折りたたみのあるガゼット袋のような袋でも好適に用いることが出来る。
【００２３】
本発明に使用するパウチの材質構成と厚みについては特に限定はなく、プラスチックフィルムやアルミニウム箔等の通常のパウチ用材料が単体で、または積層体で用いられる。積層体の接着強度発現や維持のためフィルム面への処理や開封前の内容物保護のためのバリア性付与の処理等は公知の方法で行うことが出来る。
パウチを保持する支持体は、例えば、図４のＣ１に示すような楕円柱状または直方体の形状で、天面が開いていて、パウチのサイドシール部をはめ込むための一対のスリット９が狭い側の内側の側面のお互いに対向する位置に設けられている。
【００２４】
パウチの交換がしやすく、交換してセットしたパウチが倒れないためには、前記支持体の対向するスリットが形成された方向の径を、図５に示したように、パウチのサイドシール部の外側にはみ出した幅αがサイドシール部βの１／４以上の長さとなるようにすることが望ましい。
【００２５】
本発明に使用する支持体の材質構成と厚みについては必要な強度と安定性を得られればポリプロピレン等の公知のプラスチック材料が成型のし易さとコスト面の優位性から好ましい。
【００２６】
図２には、本発明において、使用中の異物の混入や振動時の内容物のこぼれ等を軽減するための蓋Ｃ３の一例を示した。内容物と外気との接触は通常支持体のスリット９の空隙で確保されるが、より増大させるためには、蓋Ｃ３の天面に天穴を設けることも出来る。本発明に使用する蓋は成型プラスチックが軽量かつ成型が容易という点で賞用されるが、高級感や汚れ難さ等からガラスや金属を用いことも可能である。
【００２７】
本発明のパウチ付け替え容器の使用方法の一例を示せば、水平面上に置かれた支持体Ｃ１の側面の、スリット９および対向する側面のスリットにパウチＣ２のサイドシール２をはめ込んで支持した状態で、ノッチ３からパウチ上部をパウチ幅方向と平行にカットして開封する。これにより、パウチＣ２は図３のように、開封された天面が支持体Ｃ１の内壁にそって広がった形で、かつ、スリットによりパウチ側面が挟み込まれた状態で保持されて倒れることなく、パウチから内容物を移し替えずに、開口状態のパウチそのものを容器として使用することが可能になる。
【００２８】
パウチＣ２の開封のタイミングは前記のようにパウチＣ２のサイドシール２をスリットにはめ込む前でもよいが、はめ込んだ後でもかまわない。
さらに、パウチＣ２のサイドシール２をスリット９にはめ込んだ後に、支持体Ｃ１の天面に蓋Ｃ３を被せることによって、使用中の異物の混入や振動時の内容物のこぼれ等を軽減することが出来る。
【００２９】
図５には本発明のパウチ付け替え容器Ｃの使用中の外観模式図を示した。図で（ａ）は斜視外観図であり、（ｂ）はその中間高さにおける水平断面の概念図である。
ここでは、支持体Ｃ１の側面のスリット９に開封したパウチＣ２のサイドシール部がはまり込んでパウチが倒れるのを防止しているとともにパウチの開口部が内容物の自重とサイドシール部にかかるスリットからの圧力によって支持体の内面に沿って拡大している様子を模式的に示した。
【００３０】
次に、支持体の底面が開いているタイプの請求項２に関わるパウチ付け替え容器について図６、図７、図８、図９を参照して説明する。このタイプのパウチ付け替え容器をパウチ付け替え容器Ｄとして、対応する支持体をＤ１、パウチをＤ２、受け台をＤ３とする。
【００３１】
図６は本発明のパウチ付け替え容器Ｄに用いるパウチＤ２の開封前側面図である。図７は同じく支持体Ｄ１の外観模式図である。図８は同じく受け台Ｄ４の外観模式図である。図９は同じくパウチ付け替え容器Ｄの使用中の外観模式図である。
【００３２】
本発明に用いるパウチは図６に例示したようなスタンディングパウチが代表的であり、ここではボトムシール（図示せず）とサイドシール２をシール後、内容物を収納してから天シール１で封止した状態を示している。サイドシール部分には天シールに近い部分に開封のための切欠き（ノッチ）３が設けられている。
【００３３】
本発明においては、パウチのサイドシール部分を用いて開封後の保持を行うので、パウチの形状は、スタンディングパウチに限られず、サイドシール部が支持体のスリットに挟み込まれる形状であれば良く、パウチの四方を平面的にシールした、自立性のないパウチやサイド部分に折りたたみのあるガゼット袋のような袋でもでも好適に用いることが出来る。
【００３４】
本発明に使用するパウチの材質構成と厚みについては特に限定はなく、プラスチックフィルムやアルミニウム箔等の通常のパウチ用材料が単体で、または積層体で用いられる。積層体の接着強度発現や維持のためフィルム面への処理や開封前の内容物保護のためのバリア性付与の処理等は公知の方法で行うことが出来る。
【００３５】
パウチを保持する支持体は、例えば、図７のＤ１に示すような楕円柱状または直方体の形状で、底面が開いていて、パウチのサイドシール部をはめ込むためのスリット９が内側の側面の対向する位置に設けられている。支持体の天面には外気との接触を確保するための天穴４を有する。支持体の材質構成と厚みについては必要な強度と安定性を得られればポリプロピレン等の公知のプラスチック材料が成型のし易さとコスト面の優位性から好ましい。
【００３６】
パウチの交換がしやすく、交換してセットしたパウチが倒れないためには、前記支持体の対向するスリットが形成された方向の径を、パウチのサイドシール部の幅の１／４以上が外側にはみ出すような長さにすることが望ましい。
支持体の安定性を確保するために、本発明においては図８に一例を示したような受け台Ｄ４を用いることが出来る。受け台Ｄ４は支持体Ｄ１の下部をはめ込んで固定するためのものであり、例えば、支持体Ｄ１の底面の内面に沿った内側ガイド１０および支持体Ｄ１の底面の外面に沿った外側ガイド１１を有する。この受け台の材質は成型プラスチックが成型の容易さとコスト面から賞用されるが、自立安定性と高級感の点からは、金属やガラス等を用いることも出来る。
【００３７】
本発明のパウチ付け替え容器の使用方法の一例を示せば、水平面上に置かれた受け台Ｄ４の内側ガイド１０の内側に、ノッチ３からパウチ上部をパウチ幅方向と平行にカットして開封したパウチＤ２を置き、その上から支持体Ｄ１を一対のスリット９にパウチＤ２のサイドシール２をはめ込んで保持した状態で被せてゆき、受け台Ｄ４の内側ガイド１０と外側ガイド１１の間に接した状態で停止する。これにより、パウチＤ２は図３に示した場合と同様に開封された天面が支持体Ｄ１の内壁にそって広がった形で、かつ、スリット９によりパウチ側面が挟み込まれた状態で保持されて倒れることなく、パウチから内容物を移し替えずに、開口状態のパウチそのものを容器として使用することが可能になる。
【００３８】
天面に天穴４を設けた支持体Ｄ１をパウチＤ２のサイドシール２をスリット９にはめ込んだ後に被せることによって、別に蓋を用いることなく、使用中の異物の混入や振動時の内容物のこぼれ等を軽減することが出来る。
【００３９】
図９には本発明のパウチ付け替え容器Ｄの使用中の外観模式図を示した。パウチＤ２の使用中の開口面積を大きくして、かつ、パウチが倒れないようにするためには支持体Ｄ１の天面と底面の径に適度の差を付けることが好ましい。
以下本発明の実施形態の一例について実施例を用いて具体的に説明する。
【実施例】
【００４０】
＜実施例１＞
内容物としてゲル状消臭剤２００ｇを封入した図１に示す形状のスタンディングパウチ（本体と底の材質構成：ＰＥＴ１２μｍ／ＯＮＹ１５μｍ／ＬＬＤＰＥ１００μｍ）を図４に示す形状の支持体Ｃ１（材質：ＰＰ）および図２に示す形状の蓋Ｃ３（材質：ＰＰ）を用いて開封状態での使用を行った。
図４のように水平面上に置かれた支持体Ｃ１の側面の、一対のスリット９にパウチＣ２のサイドシール２を幅βの１／４以上が支持体の外側に出る状態ではめ込んで支持して、ノッチ３からパウチ上部をパウチ幅方向と平行にカットして開封した。
【００４１】
パウチが開口した状態で蓋Ｃ３を被せてゲル状消臭剤を放置したところ、６２日間で内容物の水分が抜け切り、使用期限を経過した状態となった。そこで別途、使用前の内容物の入った同形状・同構成のパウチを準備し、使い終わったパウチを支持体から外し、新たなパウチをセットし、開封し、再び使用した。
【００４２】
＜実施例２＞
内容物としてゲル状芳香剤  ２８０ｇを封入した図６に示す形状のスタンディングパウチ（本体と底の材質構成：ＯＮＹ１５μｍ／ＬＬＤＰＥ１２０μｍ）を図７に示す支持体Ｄ１（材質：ＰＰ）および図８に示す受け台Ｄ４（材質：ガラス）を用いて開封状態での使用を行った。
図８のように水平面上に置かれた受け台Ｄ４の内側ガイド１０の内側に、ノッチ３からパウチ上部をパウチ幅方向と平行にカットして開封したパウチＤ２を置き、その上から支持体Ｄ１を一対の側面のスリットにパウチＤ２のサイドシール２が、幅βの１／４以上が支持体の外側に出る状態ではめ込んで支持した図９のような状態でかぶせてゆき、受け台Ｄ４の内側ガイド１０と外側ガイド１１の間に接した状態で停止した。
【００４３】
パウチが開口した状態でゲル状芳香剤を放置したところ、９１日間で内容物の水分が抜け切り、使用期限を経過した状態となった。そこで別途、使用前の内容物の入った同形状・同構成のパウチを準備し、使い終わったパウチを支持体から外し、新たなパウチをセットし、開封し、再び使用した。
【００４４】
このように、本発明の付け替えパウチ容器は、支持体に、パウチのサイドシール部がスライドして入るスリットを設け、支持体の対向するスリットが形成された方向の径を、パウチのサイドシール部の幅の１／４以上が外側にはみ出すような長さにすることで、パウチが直立するのを保持する効果を上げるとともに、パウチの口が大きく開いた状態で保持し、効果的に内容物を揮散させることあるいは空気中の成分を吸収することが可能になった。さらに、長期にわたる使用中でもパウチを支持体で支えるため開封状態でも倒れることなく安定に保持できる。
【００４５】
また、詰め替え用の内容物を別の空の容器内に詰め替える場合に起こる、袋が柔軟なことから袋の口部の位置が不安定であり、容器の口部と袋の口部を合わせて詰め替え作業を行なうのに手間がかかり、油断をすると容器の外に芳香消臭剤がこぼれるという問題のある、新しいパウチからの詰め替えを行う作業を省いて簡単に交換を行うことが出来るようになった。
【図面の簡単な説明】
【００４６】
【図１】スタンディングパウチＣ形状例（パウチＣ２の開封前側面図）
【図２】パウチ付け替え容器Ｃの形状例（蓋Ｃ３の外観模式図）
【図３】パウチ付け替え容器Ｃの形状例（パウチＣ２の外観模式図）
【図４】パウチ付け替え容器Ｃの形状例（支持体Ｃ１の外観模式図）
【図５】パウチ付け替え容器Ｃの形状例（使用中の外観模式図）
【図６】スタンディングパウチＤ形状例（パウチＤ２の開封前側面図）
【図７】パウチ付け替え容器Ｄの形状例（支持体Ｄ１の外観模式図）
【図８】パウチ付け替え容器Ｄの形状例（受け台Ｄ４の外観模式図）
【図９】パウチ付け替え容器Ｄの形状例（使用中の外観模式図）
【符号の説明】
【００４７】
Ｃ１…支持体
Ｃ２…パウチ
Ｃ３…蓋
Ｄ１…支持体
Ｄ２…パウチ
Ｄ４…受け台
１…天シール
２…サイドシール
３…ノッチ
４…天穴
９…スリット
１０…内側ガイド
１１…外側ガイド
α…スリットからのサイドシール部のはみ出し幅
β…サイドシール幅
【図１】
2009249011.tif 000003
【図２】
2009249011.tif 000004
【図３】
2009249011.tif 000005
【図４】
2009249011.tif 000006
【図５】
2009249011.tif 000007
【図６】
2009249011.tif 000008
【図７】
2009249011.tif 000009
【図８】
2009249011.tif 000010
【図９】
2009249011.tif 000011